(57)【要約】【課題】合成樹脂材を用いながらも傷つきにくく、ぬめり感がなく、しかも必要な摩擦抵抗は確保できる、採暖具の表生地に適した生地を提供する。【解決手段】繊維の集合からなるベースシート１０に合成樹脂の表皮部１１を形成し、この表皮部１１の表面を外面材１２で覆って生地１とする。外面材１２は多数の空間を有し、この空間の中に表皮部１１がめり込む。外面材１２をメッシュ部材として空間を得るのがよい。メッシュ部材は合成繊維のネットで構成するのがよい。外面材１２には抗菌剤を塗布するか練り込む。生地１の外面に凹凸を形成してもよい。生地１は採暖具の表生地として使　用できる。発熱体３２を載せた裏生地３１に生地１を重ねて接合し、全体を面状に構成して電気カーペット本体３０とする。【選択図】　　　図１
2004065455.tif 000002
【特許請求の範囲】
【請求項１】
合成樹脂材を用いた生地において、
摩擦抵抗を持ち、ぬめり感をなくした外面材を設けたことを特徴とする生地。
【請求項２】
前記外面材には、多数の空間を形成したことを特徴とする請求項１に記載の生地。
【請求項３】
前記外面材をメッシュ部材とすることにより前記空間を得たことを特徴とする請求項１又は請求項２に記載の生地。
【請求項４】
前記メッシュ部材を合成繊維のネットにより構成したことを特徴とする請求項３に記載の生地。
【請求項５】
前記空間に生地を構成する合成樹脂材をめり込ませたことを特徴とする請求項２〜請求項４のいずれかに記載の生地。
【請求項６】
生地の表面に凹凸を設けたことを特徴とする請求項１〜請求項５のいずれかに記載の生地。
【請求項７】
前記外面材に抗菌剤を塗布又は練り込んだことを特徴とする請求項１〜請求項６のいずれかに記載の生地。
【請求項８】
請求項１〜請求項７のいずれかに記載の生地を表生地として使用したことを特徴とする採暖具。
【請求項９】
裏生地の上に発熱体を載せ、前記表生地をその上から重ねて接合し、全体を面状に構成したことを特徴とする請求項８に記載の採暖具。
【発明の詳細な説明】
【０００１】
【発明の属する技術分野】
本発明は、生地及びこれを用いた採暖具に関する。
【０００２】
【従来の技術】
家庭で使用される採暖具には、電気カーペットをはじめ、電気毛布、電気敷布、電気座布団、床暖房パネルなど、様々な種類のものがある。
【０００３】
電気カーペットとして構成される面状採暖具は、表生地と裏生地の間に発熱体を挟むというのが一般的な構造である。特開昭５４−１０４６１４号公報にそのような電気カーペットの例を見ることができる。特開平９−２６００３７号公報には裏生地に代え軟質発泡樹脂層を用いた面状採暖具が記載されている。表生地の表皮部はかつては不織布やフェルトで構成されることが多かったが、最近では合成樹脂により形成したものも増えている。
【０００４】
電気カーペットの表生地の表皮部を合成樹脂材で形成すると、汚れがついたり、水がかかったりしても拭き取るだけで済む。面状採暖具の中まで水が浸透しないので、面状採暖具の内部にカビが発生することもない。また塵埃や食物のかけら等が滞留することが少なく、結果として家ダニの増殖を抑えることができ、アレルギー性疾患の患者のいる家庭で使用するのに最適である。
【０００５】
電気カーペットには、カーペット本体にカーペットカバーをかけて用いる構成のものが多い。このような場合でも、カーペット本体の表皮部が合成樹脂であれば、カーペットカバーとの間に大きな摩擦が生じ、カーペットカバーがずれにくいという利点がある。
【０００６】
【発明が解決しようとする課題】
面状採暖具（電気カーペット）の表生地の表皮部を合成樹脂材で形成すると、上記のような様々な利点がある。この場合、柔軟性の高い熱可塑性合成樹脂を選択する必要があるが、このような材料は傷つきやすいという一面も持ち合わせている。しかもそのような合成樹脂材には独特のぬめり感があり、皮膚が触れた場合の触感はあまり快適とは言えないものであった。かと言ってぬめりをなくしてしまうと、上にカーペットカバーをかけて使用する場合、カーペットカバーが滑りやすくなり、足をとられるおそれがあった。
【０００７】
本発明は上記の点に鑑みなされたものであって、合成樹脂材を用いながらも傷つきにくく、ぬめり感がなく、しかも必要な摩擦抵抗は確保できる、採暖具の表生地に適した生地を提供することと目的とする。また、そのような生地を用いて使い勝手を高めた採暖具、特に面状採暖具を提供することを目的とする。
【０００８】
【課題を解決するための手段】
上記目的を達成するため、本発明では、生地を次のように構成した。
【０００９】
（１）合成樹脂材を用いた生地において、摩擦抵抗を持ち、ぬめり感をなくした外面材を設けた。
【００１０】
この構成によれば、合成樹脂材を用いた生地の表面が外面材で保護され、傷つきにくくなる。また外面材は摩擦抵抗を持ち、ぬめり感をなくしているので、滑りにくく、肌ざわりもよい。
【００１１】
（２）上記のような生地において、前記外面材には多数の空間を形成した。
【００１２】
この構成によれば、空間の存在により引っかかりが生じ、外面材の摩擦抵抗を確保できる。
【００１３】
（３）上記のような生地において、前記外面材をメッシュ部材とすることにより前記空間を得た。
【００１４】
この構成によれば、工業的に連続生産されるメッシュ部材をもって、多数の空間を有する外面材を安価に構成できる。
【００１５】
（４）上記のような生地において、前記メッシュ部材を合成繊維のネットにより構成した。
【００１６】
この構成によれば、生地の合成樹脂材とネットとの親和性が高く、ネットが生地に良く付着する。またネットの強度や耐摩耗性が高く、生地を傷つきにくくするという目的に適う。
【００１７】
（５）上記のような生地において、前記空間に生地を構成する合成樹脂材をめり込ませた。
【００１８】
この構成によれば、生地に合成樹脂材を用いていることの利点は享受しつつ、その合成樹脂材を外面材で保護して傷つきにくくするとともに、外面材の空間に生地を構成する合成樹脂材がめり込んでいるため外面材が生地に対し位置ずれしない。空間により摩擦抵抗も確保できる。
【００１９】
（６）上記のような生地の表面に凹凸を設けた。
【００２０】
この構成によれば、生地を踏んだときに滑るおそれが少なくなる。また生地を採暖具の表生地として用い、生地の下に線状の発熱体が引き回してあるような場合でも、発熱体の感触が薄れ、使用感が向上する。
【００２１】
（７）上記のような生地において、前記外面材に抗菌剤を塗布又は練り込んだ。
【００２２】
この構成によれば、生地の表面に細菌やカビが増殖するのを抑制できる。
【００２３】
また本発明では、採暖具を次のように構成した。
【００２４】
（８）上記した生地のいずれかを表生地として使用した。
【００２５】
この構成によれば、表生地の表面が外面材で保護され、傷つきにくく、外面材が多数の空間を有するので摩擦抵抗も確保でき、上に乗っても滑りにくいので安全な採暖具を得ることができる。また表面に細菌やカビが増殖しない採暖具を得ることができる。
【００２６】
（９）上記のような採暖具において、裏生地の上に発熱体を載せ、上記表生地をその上から重ねて接合し、全体を面状に構成した。
【００２７】
この構成によれば、電気カーペットなどの面状採暖具において、表生地の表面が外面材で保護され、傷つきにくく、外面材が多数の空間を有するので摩擦も確保でき、上に乗っても滑りにくいので安全であり、カバーをかけて使用する場合でもカバーがずれにくい面状採暖具を得ることができる。また表面に細菌やカビが増殖しない面状採暖具を得ることができる。
【００２８】
【発明の実施の形態】
以下、本発明の実施形態を図に基づき説明する。図１は本発明に係る生地の断面図である。生地１は次の構成要素からなる。すなわち構成の基礎となるベースシート１０、ベースシート１０の上面を被覆する合成樹脂材の表皮部１１、及び表皮部１１の表面を覆い、これに付着する外面材１２である。
【００２９】
ベースシート１０は繊維の集合からなる。繊維の集合形態は不織布でもフェルトでもよい。適度の強度とクッション性、及び熱伝導性を備えたものを選択する。
【００３０】
表皮部１１を構成する合成樹脂材としてはオレフィン系樹脂やＥＶＡ（エチレン酢酸ビニル共重合体）、ＰＥＴ（ポリエチレンテレフタレート）などを選択する。このような材料選択により、表皮部１１にはぬめり感が生まれる。
【００３１】
外面材１２は表皮部１１を保護する役割を担う。外面材１２は摩擦抵抗を持ち、表皮部１１に比べぬめり感が少ないものでなければならない。摩擦抵抗を確保するため、外面材１２は多数の空間を有する形状とする。ここでいう「空間」は、発泡体の内部気泡のようなものではなく、外面材１２を貫通する、いわゆる「穴」である。
【００３２】
外面材１２をメッシュ部材で構成することにより、多数の空間を得るとともに、摩擦抵抗も確保することができる。メッシュ部材は工業的に連続生産することができるので、外面材１２を安価に調達できる。
【００３３】
メッシュ部材は繊維を編んだものでも織ったものでもよい。繊維の素材は天然繊維でも合成繊維でも構わない。耐久性、耐摩耗性、摩擦抵抗、ぬめり感の少なさなどの観点からは、メッシュ部材を合成繊維のネットで構成するのが望ましい。２〜４デニールのナイロン繊維をトリコット編みし、２０〜３０個／インチの編み目を設けたネットが外面材１２として最適である。
【００３４】
表生地１の表面に細菌やカビが増殖するのを抑制するため、外面材１２を抗菌剤で処理する。抗菌剤を外面材１２に塗布するか、あるいは外面材１２が合成繊維のネットからなる場合には、合成繊維の中に抗菌剤を練り込んでおくことができる。
【００３５】
図１、図２、及び図５において、外面材１２は合成繊維のネットからなるものとして描かれている。
【００３６】
図２は生地１の製造方法を示す断面図である。まずベースシート１０がプラテン２０に載置される。プラテン２０はベースシート１０を載置した状態で水平に移動する。表皮部１１となる合成樹脂材料は原料ペレットから溶融状態にされてノズル２１に送り込まれる。ノズル２１は溶融状態の合成樹脂材料を幅広のシートの形にして下向きに押し出す。合成樹脂シート１１ａはノズル２１の下を通過するベースシート１０に合流する。
【００３７】
ベースシート１０と合成樹脂シート１１ａの合流地点の下流側に設けられたローラ２２が、軟化状態にある合成樹脂シート１１ａをベースシート１０に押しつける。これにより合成樹脂シート１１ａはベースシート１０にしっかり付着し、表皮部１１となる。ベースシート１０に接着剤を塗布しておき、接着剤の力で表皮部１１を強固に接合するようにしてもよい。表皮部１１の厚さは０．８ｍｍ以下とする。
【００３８】
ローラ２２を通過した表皮部１１はまだ軟化状態にある。この表皮部１１に外面材１２が合流する。合流地点の下流側に設けられたローラ２３がメッシュ部材である外面材１２を表皮部１１に押しつけ、外面材１２の多数の空間の中に表皮部１１をめり込ませる。これにより外面材１２は表皮部１１の表面にしっかり付着し、表皮部１１に対し位置ずれすることがない。
【００３９】
このようにして形成された生地１は、表皮部１１が外面材１２で保護され、傷つきにくくなっている。外面材１２は表皮部１１を保護するだけでなく補強する役目も兼ねており、生地１を折り曲げても表皮部１１にひび割れが生じにくい。また外面材１２の持つ抗菌性により、生地１全体が抗菌力を備えたものとなる。
【００４０】
外面材１２は表皮部１１を完全に隠す訳ではなく、空間から表皮部１１を露出させている。人間の手足の皮膚などは外面材１２の空間を通じて表皮部１１に触れることになる。すなわち外面材１２の存在により、人間の手足などの皮膚の受けるぬめり感は緩和される。しかも、表皮部１１が本来持っている摩擦抵抗も利用することができる。外面材１２の多数の空間の存在自体によっても摩擦抵抗が発生する。
【００４１】
ローラ２３の表面に模様を刻んでおけば、ローラ２３に表皮部１１及び外面材１２を通したとき、表皮部１１及び外面材１２に滑り止めの凹凸が形成される。図３及び図４に凹凸のパターン例を示す。図３のパターンは多数の突起２５の組み合わせからなる。図４のパターンはジグザグのうね２６を多数設けたものである。このようにすれば、手足の皮膚がさらに滑りにくくなる。生地１を電気カーペットの表生地として使用する場合には、カーペットカバーがさらに滑りにくくなる。
【００４２】
図５は上記のような生地１を構成要素の一つとする採暖具の一例を示す断面図である。採暖具として例示するのは面状の採暖具であり、面状採暖具の一例として電気カーペット本体３０が提示されている。
【００４３】
電気カーペット本体３０は、裏生地３１の上に、電熱ヒータ線に温度検知線を組み合わせてなる発熱体３２を載せ、その上から表生地として生地１を重ねて接着剤で接合し、全体を面状に構成したものである。３３は接着剤層を示す。裏生地３１としてはニードルパンチングで製造したフェルトや不織布を使用できる。裏生地３１を滑りにくくするため、床に接する面にはアクリル系合成樹脂を塗布して滑り止め面３４とする。
【００４４】
電気カーペット本体３０はカーペットカバー４０を組み合わせて使用する。カーペットカバー４０の下面は外面材１２の空間を通じて表皮部１１に接触する。カーペットカバー４０は表皮部１１から摩擦抵抗を受けるうえ、外面材１２に存在する多数の空間から摩擦抵抗を受けるので、電気カーペット本体３０からずれることは殆どない。
【００４５】
以上本発明の実施形態につき説明したが、これは一例であり、発明の主旨を逸脱しない範囲で種々の変更を加えて実施することができる。
【００４６】
【発明の効果】
【００４７】
本発明は次のような効果を奏するものである。
【００４８】
（１）合成樹脂材を用いた生地において、摩擦抵抗を持ち、ぬめり感をなくした外面材を設けたから、合成樹脂材を用いた生地の表面が外面材で保護され、傷つきにくくなる。また外面材は摩擦抵抗を持ち、ぬめり感をなくしているので、滑りにくく、肌ざわりもよい。すなわち採暖具の表生地として好適の特性を備える。
【００４９】
（２）上記のような生地において、前記外面材には多数の空間を形成したから、空間の存在により引っかかりが生じ、外面材の摩擦抵抗を確保できる。また空間を通じて合成樹脂材に触れることにより、合成樹脂材の持つ摩擦抵抗も利用できる。
【００５０】
（３）上記のような生地において、前記外面材をメッシュ部材とすることにより前記空間を得たから、工業的に連続生産されるメッシュ部材をもって、多数の空間を有する外面材を安価に構成できる。
【００５１】
（４）上記のような生地において、前記メッシュ部材を合成繊維のネットにより構成したから、生地の合成樹脂材とネットとの親和性が高く、ネットが生地に良く付着する。またネットの強度や耐摩耗性が高く、生地を傷つきにくくするという目的に適う。
【００５２】
（５）上記のような生地において、前記空間に生地を構成する合成樹脂材をめり込ませたから、生地に合成樹脂材を用いていることの利点は享受しつつ、その合成樹脂材を外面材で保護して傷つきにくくすることができる。外面材の空間に生地を構成する合成樹脂材がめり込んでいるため外面材が生地に対し位置ずれすることもない。空間により摩擦抵抗も確保できる。
【００５３】
（６）上記のような生地の表面に凹凸を設けたから、生地を踏んだときに滑るおそれが少なくなる。また生地を採暖具の表生地として用い、生地の下に線状の発熱体が引き回してあるような場合でも、発熱体の感触が薄れ、使用感が向上する。採暖具が電気カーペットである場合、カーペットカバーをかけて使用したときのカーペットカバーの滑りが一層少なくなる。
【００５４】
（７）上記のような生地において、前記外面材に抗菌剤を塗布又は練り込んだから、生地の表面に細菌やカビが増殖するのを抑制できる。
【００５５】
（８）上記した生地のいずれかを表生地として使用して採暖具を構成したから、表生地の表面が外面材で保護され、傷つきにくく、外面材が多数の空間を有するので摩擦抵抗も確保でき、上に乗っても滑りにくいので安全な採暖具を得ることができる。また表面に細菌やカビが増殖しない、衛生的に優れた採暖具を得ることができる。
【００５６】
（９）上記のような採暖具において、裏生地の上に発熱体を載せ、上記表生地をその上から重ねて接合し、全体を面状に構成したから、電気カーペットなどの面状採暖具において、表生地の表面が外面材で保護され、傷つきにくく、外面材が多数の空間を有するので摩擦も確保でき、上に乗っても滑りにくいので安全な面状採暖具を得ることができる。また表面に細菌やカビが増殖するのを抑制することができるので、カーペットカバーをかけないでそのまま使用する電気カーペットとして優れた特質を有する。カーペットカバーをかけて使用する電気カーペットとして構成しても、カーペットカバーがずれにいので電気カーペットに乱れた感じが生じることがなく、カーペットカバーが滑って足をとられることもない電気カーペットを得ることができる。
【図面の簡単な説明】
【図１】本発明に係る生地の断面図
【図２】生地の製造工程を示す断面図
【図３】表皮部の凹凸パターン例を示す第１の平面図
【図４】表皮部の凹凸パターン例を示す第２の平面図
【図５】本発明に係る生地を構成要素とする採暖具の断面図
【符号の説明】
１　　生地
１０　ベースシート
１１　表皮部
１２　ネット
２５　突起
２６　うね
３０　電気カーペット本体
３１　裏生地
３２　発熱体
３３　接着剤層
３４　滑り止め面
４０　カーペットカバー
【図１】
2004065455.tif 000003
【図２】
2004065455.tif 000004
【図３】
2004065455.tif 000005
【図４】
2004065455.tif 000006
【図５】
2004065455.tif 000007